(57)【要約】【課題】デザインを容易に変更することができる照明器具等を提供する。【解決手段】ソケット２ｃを有し、天井４の開口孔４ａに埋込配設された器具本体２と、ソケット２ｃに着脱自在に取り付けられる口金１１０を有し、横向きの姿勢でソケット２ｃに取り付けられる照明部材１００と、開口孔４ａを塞ぐように天井面側に配置される装飾部材２００と、装飾部材２００の水平方向の位置を調整可能とする位置調整機構を有し、照明部材１００に対して回動自在の状態で照明部材１００に取り付けられる回動部材４００と、装飾部材２００と回動部材４００とを連結し、回動部材４００から装飾部材２００を吊り下げる吊下部材３００と、備える。【選択図】図１
2018081859.tif 000002
【特許請求の範囲】
【請求項１】
ソケットを有し、天井の開口孔に埋込配設された器具本体と、
前記ソケットに着脱自在に取り付けられる口金を有し、横向きの姿勢で前記ソケットに取り付けられる照明部材と、
前記開口孔を塞ぐように天井面側に配置される装飾部材と、
前記装飾部材の水平方向の位置を調整可能とする位置調整機構を有し、前記照明部材に対して回動自在の状態で前記照明部材に取り付けられる回動部材と、
前記装飾部材と前記回動部材とを連結し、前記回動部材から前記装飾部材を吊り下げる吊下部材と、備える、
照明器具。
【請求項２】
前記回動部材は、前記照明部材の光軸を回転軸として前記照明部材が回転自在となるように前記照明部材を保持する保持体と、前記位置調整機構として、前記照明部材の光軸方向にスライド移動可能に前記保持体に取り付けられたスライド本体とを有する、
請求項１に記載の照明器具。
【請求項３】
前記保持体は、１本の金属線からなる金属フレームであって、各々が前記照明部材の外周部を囲んで前記照明部材を保持する略円弧状の第１保持部及び第２保持部と、前記第１保持部及び前記第２保持部の略円弧状の円弧端同士を連結し且つ平行に延在する２本のレール部とを有し、
前記スライド本体は、前記２本のレール部に対してスライド移動可能に前記２本のレール部に保持される、
請求項２に記載の照明器具。
【請求項４】
前記スライド本体は、前記２本のレール部をなす２本の金属線が挿通される挿通孔を有する樹脂製の第１スライド体と、前記第１スライド部を挟持する金属製の第２スライド体とを有する、
請求項３に記載の照明器具。
【請求項５】
前記吊下部材は、一対のワイヤであり、
前記スライド本体には、前記照明部材を囲むように湾曲する長尺状の金属板材であるワイヤ接続体が設けられており、
前記一対のワイヤの一方は、前記ワイヤ接続体の長手方向の一方の端部に取り付けられ、
前記一対のワイヤの他方は、前記ワイヤ接続体の長手方向の他方の端部に取り付けられる、
請求項２〜４のいずれか１項に記載の照明器具。
【請求項６】
前記吊下部材は、前記回動部材との連結部分にフックを有し、
前記位置調整機構は、前記照明部材の光軸方向に沿って前記フックを複数箇所に引っ掛けることができる引っ掛け部である、
請求項１に記載の照明器具。
【請求項７】
前記引っ掛け部は、前記照明部材の光軸方向に沿って延在する棒状部材である、
請求項６に記載の照明器具。
【請求項８】
前記引っ掛け部は、前記照明部材の光軸方向に沿って並んで前記回動部材に設けられた複数の突起である、
請求項６に記載の照明器具。
【請求項９】
前記装飾部材は、
前記開口孔を囲む装飾パネルと、
前記装飾パネルに着脱自在に取り付けられ、前記開口孔を覆う透光カバーと、を有する、
請求項１〜８のいずれか１項に記載の照明器具。
【請求項１０】
前記照明部材は、Ｔ形のグローブを有するランプである、
請求項１〜９のいずれか１項に記載の照明器具。
【請求項１１】
ソケットを有する器具本体に着脱自在に取り付けられる照明ユニットであって、
前記ソケットに着脱自在に取り付けられる口金を有し、横向きの姿勢で前記ソケットに取り付けられる照明部材と、
前記器具本体が埋込配設される天井の開口孔を塞ぐように天井面側に配置される装飾部材と、
前記装飾部材の水平方向の位置を調整可能とする位置調整機構を有し、前記照明部材に対して回動自在の状態で前記照明部材に取り付けられる回動部材と、
前記装飾部材と前記回動部材とを連結し、前記回動部材から前記装飾部材を吊り下げる吊下部材と、備える、
照明ユニット。
【発明の詳細な説明】
【技術分野】
【０００１】
本発明は、照明器具及びこれに用いられる照明ユニットに関する。
【背景技術】
【０００２】
天井に埋込配設されることにより、下方に光を照射する天井埋込型の照明器具（いわゆるダウンライト）が知られている。この種の照明器具は、天井に埋込配設された器具本体と、器具本体に着脱自在に取り付けられた電球形ランプとを備えている（例えば、特許文献１参照）。この種の照明器具は、例えばユーザが選定して購入し、施工業者によって建物の天井等の所定の位置に設置される。
【先行技術文献】
【特許文献】
【０００３】
【特許文献１】特開２０１３−２２９１３８号公報
【発明の概要】
【発明が解決しようとする課題】
【０００４】
照明器具を天井等に設置した後、ユーザは、照明器具のデザインを変更したい場合がある。この場合、ユーザは、施工業者に再度依頼して照明器具を取り替えてもらわなければならず、照明器具のデザインを容易に変更することができないという課題がある。
【０００５】
本発明は、このような課題に鑑みてなされたものであり、デザインを容易に変更することができる照明器具及び照明ユニットを提供することを目的とする。
【課題を解決するための手段】
【０００６】
上記目的を達成するために、本発明に係る照明器具の一態様は、ソケットを有し、天井の開口孔に埋込配設された器具本体と、前記ソケットに着脱自在に取り付けられる口金を有し、横向きの姿勢で前記ソケットに取り付けられる照明部材と、前記開口孔を塞ぐように天井面側に配置される装飾部材と、前記装飾部材の水平方向の位置を調整可能とする位置調整機構を有し、前記照明部材に対して回動自在の状態で前記照明部材に取り付けられる回動部材と、前記装飾部材と前記回動部材とを連結し、前記回動部材から前記装飾部材を吊り下げる吊下部材と、備える。
【０００７】
また、本発明に係る照明ユニットの一態様は、ソケットを有する器具本体に着脱自在に取り付けられる照明ユニットであって、前記ソケットに着脱自在に取り付けられる口金を有し、横向きの姿勢で前記ソケットに取り付けられる照明部材と、前記器具本体が埋込配設される天井の開口孔を塞ぐように天井面側に配置される装飾部材と、前記装飾部材の水平方向の位置を調整可能とする位置調整機構を有し、前記照明部材に対して回動自在の状態で前記照明部材に取り付けられる回動部材と、前記装飾部材と前記回動部材とを連結し、前記回動部材から前記装飾部材を吊り下げる吊下部材と、備える。
【発明の効果】
【０００８】
照明器具のデザインを容易に変更することができる。
【図面の簡単な説明】
【０００９】
【図１】実施の形態に係る照明器具及び照明ユニットの全体構成を示す斜視図である。
【図２】実施の形態に係る照明器具の断面図である。
【図３】実施の形態に係る照明器具の分解斜視図である。
【図４】回動部材から照明部材を外したときの回動部材及び照明部材を斜め上方から見たときの斜視図である。
【図５】回動部材から照明部材を外したときの回動部材及び照明部材を斜め下方から見たときの斜視図である。
【図６】実施の形態に係る照明器具及び照明ユニットにおける回動部材の分解斜視図である。
【図７】実施の形態に係る照明器具及び照明ユニットにおける回動部材の断面図である。
【図８】実施の形態に係る照明器具及び照明ユニットにおける回動部材のスライド本体をスライド移動させるときの様子を示す図である。
【図９】実施の形態に係る照明器具において、装飾部材の位置を調整する様子を示す図である。
【図１０Ａ】器具本体から既存のランプを取り外す様子を示す図である。
【図１０Ｂ】実施の形態に係る照明ユニットを器具本体に取り付けるときの様子を示す図である。
【図１０Ｃ】装飾パネルの位置を調整するときの様子を示す図である。
【図１０Ｄ】透光カバーを装飾パネルに取り付けるときの様子を示す図である。
【図１１】変形例１に係る照明器具及び照明ユニットの全体構成を示す斜視図である。
【図１２】変形例２に係る照明器具及び照明ユニットの全体構成を示す斜視図である。
【図１３】変形例３に係る照明器具及び照明ユニットの全体構成を示す斜視図である。
【図１４】変形例３の第１変形例に係る照明器具及び照明ユニットの全体構成を示す斜視図である。
【図１５】変形例３の第２変形例に係る照明器具及び照明ユニットの全体構成を示す斜視図である。
【図１６】変形例４に係る照明器具及び照明ユニットの全体構成を示す斜視図である。
【発明を実施するための形態】
【００１０】
以下、本発明の実施の形態について、図面を参照しながら説明する。以下に説明する実施の形態は、いずれも本発明の好ましい一具体例を示すものである。したがって、以下の実施の形態で示される、数値、形状、材料、構成要素、構成要素の配置位置及び接続形態、並びに、ステップ（工程）及びステップの順序などは、一例であって本発明を限定する主旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。各図において、実質的に同一の構成に対しては同一の符号を付しており、重複する説明は省略又は簡略化される場合がある。
【００１２】
（実施の形態）
以下、実施の形態に係る照明器具１及び照明ユニット３について説明する。
【００１３】
［照明器具の全体構成］
図１〜図３を用いて、実施の形態に係る照明器具１及び照明ユニット３の全体構成について説明する。図１は、実施の形態に係る照明器具１及び照明ユニット３の全体構成を示す斜視図である。図２は、実施の形態に係る照明器具１の断面図である。図３は、実施の形態に係る照明器具１の分解斜視図である。なお、説明の都合上、図１〜図３では、器具本体２及び天井４の一部を切り欠いて図示している。
【００１４】
実施の形態に係る照明器具１は、例えば住宅等の建物における室内の天井４に形成された開口孔４ａに埋込配設されることにより、床面側に光を照射する天井埋込型の照明器具（いわゆるダウンライト）である。開口孔４ａは、例えば天井板に形成された円形の貫通孔である。
【００１５】
図１〜図３に示すように、照明器具１は、器具本体２と、器具本体２に着脱自在に取り付けられる照明ユニット３とを備えている。
【００１６】
器具本体２は、天井４の開口孔４ａに埋込配設される。つまり、器具本体２は、天井４の天井裏側に飛び出すように配置される。器具本体２は、天井４の開口孔４ａに対応する円形状の開口部２ａを有する有底筒体である。また、開口部２ａの周縁部には、天井４の天井面側において径方向外側に延びる鍔部２ｂ（フランジ部）が形成されている。器具本体２は、例えばアルミニウム等の金属によって構成されている。本実施の形態において、器具本体２は、アルミダイカスト製である。
【００１７】
器具本体２は、照明部材１００の口金１１０が着脱自在に取り付けられるソケット２ｃを有する。ソケット２ｃの内周面には雌ネジが形成されており、ソケット２ｃには口金１１０がねじ込まれる。ソケット２ｃに口金１１０が装着されることで、照明部材１００がソケット２ｃに保持される。本実施の形態において、ソケット２ｃは、器具本体２の外側面から外方に向かって突出するように設けられており、照明部材１００は横向きの姿勢でソケット２ｃに保持される。
【００１８】
また、ソケット２ｃは、照明器具１の外部に設置された商用電源等の外部電源と電気的に接続されており、ソケット２ｃには、外部電源から交流電力（例えばＡＣ１００Ｖ）が供給される。ソケット２ｃに供給された交流電力は、照明部材１００に供給され、これにより、照明部材１００を発光させることができる。このように、ソケット２ｃは、照明部材１００を保持するだけではなく、照明部材１００を発光させるための電力を照明部材１００に供給する。
【００１９】
なお、図示しないが、器具本体２の下端部の外側面には、複数の取付バネ（例えば３つ）が取り付けられている。複数の取付バネによって器具本体２を天井４に固定することができる。
【００２０】
図１〜図３に示すように、器具本体２に取り付けられる照明ユニット３は、照明部材１００と、装飾部材２００と、吊下部材３００と、回動部材４００とを備える。以下、図１〜図３を参照しながら、照明ユニット３の構成部材について詳細に説明する。
【００２１】
［照明部材］
照明部材１００は、例えばＬＥＤ（Ｌｉｇｈｔ  Ｅｍｉｔｔｉｎｇ  Ｄｉｏｄｅ）を光源とする電球形のＬＥＤランプ（ＬＥＤ電球）等のランプである。照明部材１００は、照明光として例えば白色光を発する。照明部材１００は、器具本体２の内部に配置される。図２に示すように、照明部材１００は、横向きの姿勢で器具本体２のソケット２ｃに取り付けられる。本実施の形態において、照明部材１００は、照明部材１００の光軸が器具本体２の中心軸に対して傾斜した姿勢で配置される。
【００２２】
照明部材１００は、口金１１０、筐体１２０及びグローブ１３０を有している。照明部材１００は、グローブ１３０が口金１１０よりも床面側に位置するように傾斜した姿勢でソケット２ｃに取り付けられている。なお、照明部材１００は、照明光を照射する光源としてＬＥＤモジュールを有する。
【００２３】
口金１１０は、ＬＥＤモジュールを発光させるための交流電力を受電する受電部であり、筐体１２０の一端部に取り付けられている。口金１１０は、器具本体２のソケット２ｃに着脱自在に取り付けられる。本実施の形態において、口金１１０は、エジソンタイプ（Ｅ型）であり、口金１１０の外周面には雄ネジが形成されている。口金１１０をソケット２ｃにねじ込んで口金１１０がソケット２ｃに取り付けられることにより、口金１１０は、ＬＥＤモジュールを発光させるための交流電力をソケット２ｃから受電することができる。
【００２４】
筐体１２０は、円筒状の筒体である。筐体１２０は、例えばポリブチレンテレフタレート（ＰＢＴ）等の樹脂材料によって構成されている。筐体１２０の内部には、ＬＥＤモジュールを駆動するための回路ユニットが収納されている。回路ユニットは、電源回路を構成しており、口金１１０から供給された交流電力を、整流、平滑及び降圧等することにより所定レベルの直流電力に変換し、当該直流電力をＬＥＤモジュールに供給する。これにより、ＬＥＤモジュールが発光する。
【００２５】
グローブ１３０は、ＬＥＤモジュールの光を透光する透光カバーである。グローブ１３０は、ＬＥＤモジュールを覆うように配置されている。グローブ１３０は、透光性を有する樹脂材料又はガラス材料によって構成されている。本実施の形態において、グローブ１３０は、光を散乱して拡散させる拡散カバーであり、例えば乳白色の樹脂で形成されている。また、グローブ１３０は、Ｔ形であるが、Ａ形等であってもよい。
【００２６】
なお、図示しないが、ＬＥＤモジュールは、基板と、基板に実装されたＬＥＤ素子とを有する。ＬＥＤモジュールは、ＣＯＢ（Ｃｈｉｐ  Ｏｎ  Ｂｏａｒｄ）タイプ及びＳＭＤ（Ｓｕｒｆａｃｅ  Ｍｏｕｎｔ  Ｄｅｖｉｃｅ）タイプのいずれであってもよい。例えば、ＣＯＢタイプのＬＥＤモジュールは、基板に実装された複数のＬＥＤチップ（ＬＥＤ素子）が封止部材で封止された構造である。また、ＳＭＤタイプのＬＥＤモジュールは、ＬＥＤチップがパッケージ化されたＳＭＤ型のＬＥＤ素子が基板に表面実装された構造である。
【００２７】
［装飾部材］
図２に示すように、装飾部材２００は、器具本体２の開口部２ａの下方に配置されることにより、器具本体２を室内側から装飾する。装飾部材２００は、天井４の開口孔４ａを塞ぐように天井面側に配置されている。
【００２８】
本実施の形態において、装飾部材２００は、装飾パネル２１０、透光カバー２２０及び収納ケース２３０を有する。
【００２９】
図３に示すように、装飾パネル２１０は、リング状に形成されたリング部材（装飾リング）である。つまり、装飾パネル２１０は、開口部を有する。一例として、装飾パネル２１０は、円環状である。
【００３０】
図１及び図２に示すように、装飾パネル２１０は、天井４の開口孔４ａ及び器具本体２の開口部２ａを囲むよう配置される。装飾パネル２１０の下面（室内側の面）には、例えば、赤色又は青色等の有色の色付けが施されていたり、木目等の模様（図示せず）が付されていたりする。色又は模様の異なる複数の装飾パネル２１０を予め用意しておき、これらの中から好みの装飾パネル２１０を選択して取り替えることで、照明器具１の雰囲気を変えることができる。装飾パネル２１０を交換することで、照明器具１の着せ替えを行うことができる。
【００３１】
透光カバー２２０は、照明部材１００の光を透光する透光部材であり、有底円筒状に形成されている。透光カバー２２０は、透光性を有する樹脂材料又はガラス材料によって構成されている。本実施の形態において、透光カバー２２０は、透過する照明部材１００の光を散乱して拡散させる拡散カバーであり、例えば乳白色の樹脂で形成されている。
【００３２】
透光カバー２２０は、天井４の開口孔４ａ及び器具本体２の開口部２ａを覆うように配置されている。また、透光カバー２２０は、装飾パネル２１０に着脱自在に取り付けられている。透光カバー２２０を水平方向に回転させることで、透光カバー２２０を装飾パネル２１０に取り付けたり、装飾パネル２１０から透光カバー２２０を取り外したりできる。
【００３３】
なお、透光カバー２２０に装飾を施して透光カバー２２０を装飾カバーとして用いてもよい。例えば、透光カバー２２０に模様を付したり形状を変えたりすることで、シャンデリアタイプ等の様々な種類の装飾カバーを実現できる。
【００３４】
図１に示すように、収納ケース２３０は、装飾パネル２１０の上面に配置されている。つまり、収納ケース２３０は、装飾パネル２１０と天井４との間に配置されており、室内側からは装飾パネル２１０で隠されている。
【００３５】
収納ケース２３０は、装飾パネル２１０に着脱自在に取り付けられている。本実施の形態において、収納ケース２３０は、装飾パネル２１０の中心軸に対して略対称な位置に一対配置されている。
【００３６】
図３に示すように、一対の収納ケース２３０の各々は、円弧状に延びる収納部２３１と、収納部２３１の一端部に設けられた略台形枠状の取出部２３２とを有する。
【００３７】
収納部２３１の内部には、収納部２３１の円弧に沿ってコイルバネ２３３が配置されている。コイルバネ２３３の一端は、収納部２３１の内部に固定されている。一方、コイルバネ２３３の他端部は、吊下部材３００の下端部に連結されている。コイルバネ２３３に連結された吊下部材３００は、取出部２３２の取出口２３２ａから収納ケース２３０の外部に引き出されている。
【００３８】
一対の収納ケース２３０に配置された一対のコイルバネ２３３は、一対の吊下部材３００に引っ張られることによって収納ケース２３０の内部で伸びることができる。照明ユニット３を天井４に固定された器具本体２に取り付けるときに、一対の吊下部材３００は、収納ケース２３０から引き出されるように引っ張られる。これにより、一対のコイルバネ２３３が伸びて、室内側の天井面に配置された装飾部材２００は、吊下部材３００で引っ張られるようにして天井４に押さえ付けられる。
【００３９】
［吊下部材］
吊下部材３００は、装飾部材２００と回動部材４００とを連結し、回動部材４００から装飾部材２００を吊り下げている。本実施の形態において、吊下部材３００は、金属製のワイヤ（吊り下げワイヤ）であり、一対設けられている。一対の吊下部材３００は、器具本体２の中心軸を中心として対向する位置に配置されている。具体的に、図１に示すように、一対の吊下部材３００は、装飾部材２００の器具本体２の中心軸に対して傾斜するように架張されている。
【００４０】
図１〜図３に示すように、一対の吊下部材３００の各々の上端部は、回動部材４００に接続されている。具体的には、各吊下部材３００の上端部は、回動部材４００のスライド本体４２０に連結されている。一方、一対の吊下部材３００の各々の下端部は、装飾部材２００の収納ケース２３０に収納されたコイルバネ２３３に連結されている。
【００４１】
［回動部材］
回動部材４００は、照明部材１００に対して回動自在の状態で照明部材１００に取り付けられる。つまり、回動部材４００は、回動部材４００及び照明部材１００が互いに自由に回動できる状態で照明部材１００に保持されている。具体的には、回動部材４００と照明部材１００とは互いに規制されることなく摺動しながら無限に回転することができる。これにより、照明部材１００を回転させて口金１１０をソケット２ｃに取り付けたりソケット２ｃから取り外したりする際に、照明部材１００の回転に伴って装飾部材２００及び吊下部材３００も回転してしまうことを抑制できる。
【００４２】
また、回動部材４００は、装飾部材２００の水平方向の位置を調整可能とする位置調整機構を有する。具体的には、位置調整機構は、回動部材４００に連結された吊下部材３００で吊り下げられた装飾部材２００の水平方向を水平方向に移動することで、装飾部材２００を水平方向の位置を調整する機能を有する。
【００４３】
ここで、回動部材４００の構成について、図１〜図３を参照しつつ、図４〜図７を用いて詳細に説明する。図４及び図５は、回動部材４００から照明部材１００を外したときの回動部材４００及び照明部材１００の斜視図であり、図４は斜め上方から見たときの図、図５は斜め下方から見たときの図を示している。図６は、回動部材４００の分解斜視図であり、図７は、回動部材４００の断面図である。
【００４４】
図１〜図７に示すように、回動部材４００は、保持体４１０と、位置調整機構としてスライド本体４２０とを有する。
【００４５】
図１〜図３に示すように、保持体４１０は、照明部材１００の光軸を回転軸として照明部材１００が回転自在となるように照明部材１００を保持する。
【００４６】
図４〜図７に示すように、保持体４１０は、１本の金属線からなる金属フレーム（ワイヤフレーム）である。つまり、保持体４１０は、１本の金属線を折り曲げ加工することによって形成されている。保持体４１０を構成する金属線は、例えばステンレス線であるが、これに限らない。
【００４７】
金属線からなる保持体４１０は、各々が照明部材１００の外周部を囲んで照明部材１００を保持する略円弧状の第１保持部４１１及び第２保持部４１２と、第１保持部４１１及び第２保持部４１２の略円弧状の円弧端同士を連結し且つ平行に延在する２本のレール部４１３とを有する。
【００４８】
スライド本体４２０は、照明部材１００の光軸方向にスライド移動可能に保持体４１０に取り付けられている。スライド本体４２０は、２本のレール部４１３に対してスライド移動可能に２本のレール部４１３に保持されている。スライド本体４２０をスライド移動させることで、吊下部材３００とともに装飾部材２００の水平方向の位置を調整することができる。
【００４９】
具体的には、スライド本体４２０は、図６及び図７に示すように、２本のレール部４１３をなす２本の金属線が挿通される挿通孔を有する第１スライド体４２１と、第１スライド体４２１を挟持する第２スライド体４２２とを有する。
【００５０】
第１スライド体４２１は、樹脂製であり、一対の第１樹脂部品４２１ａ及び第２樹脂部品４２１ｂによって構成されている。２本のレール部４１３をなす２本の金属線は、第１樹脂部品４２１ａと第２樹脂部品４２１ｂとによって挟持されている。第１樹脂部品４２１ａ及び第２樹脂部品４２１ｂは、例えばポリブチレンテレフタレートによって構成されているが、これに限らない。
【００５１】
第２スライド体４２２は、金属製であり、一対の第１金属部品４２２ａ及び第２金属部品４２２ｂによって構成されている。第２スライド体４２２は、第１金属部品４２２ａと第２金属部品４２２ｂとによって挟持されている。第１金属部品４２２ａ及び第２金属部品４２２ｂは、例えばアルミダイカスト製であるが、これに限らない。
【００５２】
一対の第１樹脂部品４２１ａ及び第２樹脂部品４２１ｂと第１金属部品４２２ａ及び第２金属部品４２２ｂとは、２本のレール部４１３をなす２本の金属線を挟んだ状態でネジ４３１及び４３２によって共締めされている。
【００５３】
また、スライド本体４２０には、照明部材１００を囲むように湾曲する長尺状の金属板材であるワイヤ接続体４４０が設けられている。ワイヤ接続体４４０は、例えば長尺状のステンレス板であるが、これに限らない。ワイヤ接続体４４０は、ネジ４３１によってスライド本体４２０に固定されている。これにより、スライド本体４２０の移動に合わせてワイヤ接続体４４０も移動する。
【００５４】
一対の吊下部材３００の一方の上端部は、ワイヤ接続体４４０の長手方向の一方の端部に取り付けられている。また、一対の吊下部材３００の他方の上端部は、ワイヤ接続体４４０の長手方向の他方の端部に取り付けられている。これにより、スライド本体４２０の移動に合わせて吊下部材３００も移動する。つまり、吊下部材３００に吊り下げられた装飾部材２００もスライド本体４２０の移動に合わせて移動する。
【００５５】
また、図６に示すように、保持体４１０には、保持体４１０から照明部材１００が脱落することを防止するための折曲部４１４が設けられている。折曲部４１４は、保持体４１０を構成する金属線の一部を、照明部材１００のグローブ１３０の頂部に向けて折り曲げることで形成されている。
【００５６】
本実施の形態において、折曲部４１４は、保持体４１０を構成する１本の金属線の開放端部同士が連結された部分である。このため、折曲部４１４における金属線は、金属パイプ４５０に挿入されている。つまり、折曲部４１４における金属線の開放端部は、金属パイプ４５０内で向き合うように配置されている。
【００５７】
さらに、金属パイプ４５０は、ストッパ４６０によって保持されている。ストッパ４６０は、樹脂製の樹脂部品であり、折曲部４１４の金属線が挿入された金属パイプ４５０を保持している。ストッパ４６０は、回動部材４００が照明部材１００に取り付けられたときに、照明部材１００のグローブ１３０の頂部付近に当接する。ストッパ４６０がグローブ１３０に当接することによって、照明部材１００が保持体４１０から抜け落ちることを防止することができる。
【００５８】
このように構成される回動部材４００は、図８の（ａ）に示すように、照明部材１００に取り付けられる。例えば、図５に示される状態から、照明部材１００を回動部材４００の保持体４１０に向けて押し込むことで、図８の（ａ）に示すように、照明部材１００を第１保持部４１１及び第２保持部４１２で保持させることができる。
【００５９】
そして、図８の（ｂ）に示すように、回動部材４００において、スライド本体４２０は、保持体４１０のレール部４１３に沿ってスライド移動させることができる。つまり、スライド本体４２０は、照明部材１００の光軸に沿ってスライド移動する。
【００６０】
これにより、図９の（ａ）に示すように、回動部材４００で保持された照明部材１００をソケット２ｃに取り付けたときに、回動部材４００に連結された吊下部材３００で吊り下げられた装飾部材２００の水平方向の位置が器具本体２に対してずれている場合、図９の（ｂ）に示すように、スライド本体４２０をスライド移動させることで、装飾部材２００の水平方向の位置ずれをなくすことができる。
【００６１】
具体的には、スライド本体４２０を保持体４１０のレール部４１３に沿ってスライド移動させることで、スライド本体４２０のワイヤ接続体４４０に連結された一対の吊下部材３００が移動し、これに伴って、吊下部材３００に吊り下げられた装飾部材２００（装飾パネル２１０）が水平方向に移動する。つまり、スライド本体４２０のスライド移動に連動して、装飾部材２００（装飾パネル２１０）が天井面（水平面）に沿って水平方向にスライド移動する。これにより、装飾部材２００（装飾パネル２１０）の水平方向の位置を調整することができる。
【００６２】
なお、本実施の形態では、装飾パネル２１０の開口部から手を挿入してスライド本体４２０を操作するので、スライド本体４２０をスライド移動させる際は、装飾部材２００の透光カバー２２０を外している。
【００６３】
［照明ユニットの取付手順］
次に、図１０Ａ〜図１０Ｄを用いて、照明ユニット３を器具本体２に取り付ける手順について説明する。図１０Ａは、器具本体２から既存のランプを取り外す様子を示す図である。図１０Ｂは、実施の形態に係る照明ユニット３を器具本体２に取り付けるときの様子を示す図である。図１０Ｃは、装飾パネル２１０の位置を調整するときの様子を示す図である。図１０Ｄは、透光カバー２２０を装飾パネル２１０に取り付けるときの様子を示す図である。
【００６４】
図１０Ａに示すように、器具本体２のソケット２ｃに取り付けられた既存のＬＥＤ電球１００Ａをソケット２ｃから取り外す。
【００６５】
次に、図１０Ｂに示すように、照明ユニット３の照明部材１００を器具本体２のソケット２ｃに取り付ける。具体的には、吊下部材３００によって装飾パネル２１０と連結した回動部材４００を照明部材１００に装着しておき、この状態で照明部材１００を持ち上げてソケット２ｃに取り付ける。このとき、予め装飾パネル２１０から透光カバー２２０を取り外しておくことにより、ユーザは、装飾パネル２１０の開口部に手を挿入して照明部材１００を手で掴むことができる。これにより、装飾パネル２１０の開口部から手を挿入して照明部材１００を掴んだ状態で照明部材１００を持ち上げて照明部材１００を回転させることで、口金１１０をソケット２ｃにねじ込むことができる。
【００６６】
照明部材１００を回転させてソケット２ｃにねじ込む際、照明部材１００は回動部材４００に回動自在に保持されているので、回動部材４００を回動させることなく照明部材１００のみを回転させてソケット２ｃに取り付けることができる。つまり、回動部材４００から吊り下げられた装飾部材２００（装飾パネル２１０）が照明部材１００と伴回りすることなく、照明部材１００をソケット２ｃに取り付けることができる。
【００６７】
このように、照明部材１００が器具本体２のソケット２ｃに取り付けられると、図１０Ｃに示すように、装飾パネル２１０は、吊下部材３００によって吊り下げられた状態で、器具本体２の開口部２ａを囲むように配置される。このとき、上述の図１に示すように、吊下部材３００によって吊り下げられた装飾パネル２１０が天井４に引っ掛かるようにして照明部材１００が引き上げられるので、収納ケース２３０に収納されたコイルバネが吊下部材３００によって引っ張られて伸びることになる。これにより、装飾パネル２１０は、コイルバネ２３３のバネ弾性力（バネ復元力）によって天井面に向かって付勢されて保持される。このように、コイルバネ２３３が伸びることで、回動部材４００から装飾パネル２１０までの吊下部材３００の長さが自動で調節される。
【００６８】
ここで、上記の図９の（ａ）に示すように、装飾パネル２１０の水平方向の位置が器具本体２に対してずれている場合、図１０Ｃに示すように、回動部材４００による位置調整機構によって、装飾パネル２１０の水平方向の位置ずれがなくなるように、装飾パネル２１０を水平移動させることができる。
【００６９】
具体的には、図１０Ｃに示すように、回動部材４００のスライド本体４２０（位置調整機構）をスライド移動させることで、上記の図９の（ｃ）に示すように、吊下部材３００が移動するとともに吊下部材３００に吊り下げられた装飾パネル２１０が移動する。これにより、装飾パネル２１０の水平方向の位置を調整して、装飾パネル２１０の水平方向の位置ずれをなくすことができる。すなわち、照明器具１の中心軸と装飾パネル２００の中心軸とを一致させることができる。
【００７０】
次に、図１０Ｄに示すように、透光カバー２２０を装飾パネル２１０に取り付ける。これにより、器具本体２の開口部２ａを覆うように装飾部材２００が配置されて（図１参照）、器具本体２が装飾部材２００により装飾される。このようにして、照明器具１のデザインを変更することができる。
【００７１】
［効果等］
次に、本実施の形態における照明器具１の効果について、本発明の一態様に至った経緯も含めて説明する。
【００７２】
照明器具を天井等に設置した後に照明器具のデザインを変更したい場合、ユーザは、施工業者に再度依頼して照明器具を取り替えてもらう必要がある。
【００７３】
そこで、器具本体のソケットに装着される照明部材（ＬＥＤ電球等）に対して回動自在に取り付けられた回動部材と、吊り下げワイヤ（吊下部材）によって回動部材から吊り下げた装飾部材とからなる照明ユニットを用いることで、照明器具のデザインを変更することが検討されている。
【００７４】
しかしながら、本実施の形態における器具本体２のように、ＬＥＤ電球等の照明部材が横向きの姿勢でソケットに取り付けられるような照明器具では、器具本体の深さ、又は、器具本体における照明部材の光源中心が、器具本体の機種及び取り付ける照明部材のマッチングによって多様であるため、上記の照明ユニットでは対応することが難しいという課題がある。
【００７５】
特に、器具本体のソケットへの挿入方向における照明部材（光源）の位置が器具本体の機種及び照明部材によって異なるので、回動部材から吊り下げられる装飾部材が水平方向にずれて配置されるという課題がある。この結果、例えば、装飾部材の中心と器具本体の中心とがずれてしまう。
【００７６】
そこで、本実施の形態における照明器具１及び照明ユニット３では、天井４の開口孔４ａを塞ぐように天井面側に配置される装飾部材２００と、装飾部材２００の水平方向の位置を調整可能とする位置調整機構を有し且つ照明部材１００に対して回動自在の状態で照明部材１００に取り付けられる回動部材４００と、装飾部材２００と回動部材４００とを連結し且つ回動部材４００から装飾部材２００を吊り下げる吊下部材３００とを備えている。
【００７７】
これにより、照明部材１００が横向きの姿勢で取り付けられる器具本体２であっても、装飾部材２００を天井面の所定の位置に配置することができる。
【００７８】
具体的には、照明部材１００に取り付けられた回動部材４００から吊下部材３００によって吊り下げられた装飾部材２００によって器具本体２の開口部２ｃが覆われる。これにより、器具本体２が装飾部材２００によって装飾される。したがって、照明部材１００を器具本体２に取り付けるという比較的簡単な作業を行うことにより、器具本体２を取り替える工事を行うことなく、照明器具１のデザインを容易に変更することができる。
【００７９】
しかも、装飾部材２００は、照明部材１００に対して回動自在の状態で照明部材１００に取り付けられた回動部材４００から吊り下げられているので、照明部材１００を器具本体２に取り付ける際に、回動部材４００から吊り下げられた装飾部材２００が照明部材１００の回転で照明部材１００と伴回りすることなく照明部材１００をソケット２ｃにねじ込むことができる。
【００８０】
さらに、回動部材４００は、装飾部材２００の水平方向の位置を調整可能とする位置調整機構を有しているので、照明部材１００から吊り下げられる装飾部材２００の水平方向の位置を微調整して、装飾部材２００の水平方向の位置ずれをなくすことができる。具体的には、装飾部材２００の中心と器具本体２の中心とを容易に一致させることができる。
【００８１】
以上、本実施の形態における照明器具１及び照明ユニット３によれば、幅広い機種の照明器具に対してデザインを容易に変更することができる。
【００８２】
また、本実施の形態における照明器具１及び照明ユニット３において、回動部材４００は、照明部材１００の光軸を回転軸として照明部材１００が回転自在となるように照明部材１００を保持する保持体４１０と、位置調整機構として、照明部材１００の光軸方向にスライド移動可能に保持体４１０に取り付けられたスライド本体４２０とを有する。
【００８３】
これにより、保持体４１０に取り付けられたスライド本体４２０をスライド移動させることで、回動部材４００から吊り下げられた装飾部材２００を水平方向に移動させることができる。したがって、簡単な操作で装飾部材２００の水平方向の位置ずれをなくすことができる。
【００８４】
また、本実施の形態における照明器具１及び照明ユニット３において、保持体４１０は、１本の金属線からなる金属フレームであって、各々が照明部材１００の外周部を囲んで照明部材１００を保持する略円弧状の第１保持部４１１及び第２保持部４１２と、第１保持部４１１及び第２保持部４１２の略円弧状の円弧端同士を連結し且つ平行に延在する２本のレール部４１３とを有しており、さらに、スライド本体４２０は、２本のレール部４１３に対してスライド移動可能に２本のレール部４１３に保持されている。
【００８５】
これにより、スライド本体４２０を容易にスライド移動させることができる。また、保持体４１０を金属線からなる金属フレームにすることで、照明部材１００を遮光する部分を極力少なくすることができるので、照明器具１としての光束の低下を抑制することもできる。
【００８６】
また、本実施の形態における照明器具１及び照明ユニット３において、スライド本体４２０は、２本のレール部４１３をなす２本の金属線が挿通される挿通孔を有する樹脂製の第１スライド体４２１と、第１スライド体４２１を挟持する金属製の第２スライド体４２２とを有する。
【００８７】
このように、金属線と摺動する第１スライド体４２１を樹脂製にすることで、スライド本体４２０のスライド性能の向上とスライド本体４２０の摩擦による保持力向上との両立を図ることができる。つまり、スライド本体４２０の保持体４１０への保持力を維持しつつも、スライド本体４２０を容易にスライドさせることができる。
【００８８】
しかも、第１スライド体４２１を金属製の第２スライド体４２２で挟持することで、樹脂製のみでスライド本体４２０を構成する場合と比べて、スライド本体４２０の剛性を大きくすることができる。これにより、スライド本体４２０を介して装飾部材２００が吊り下げられていても、スライド本体４２０の劣化による装飾部材２００の落下等の不具合を抑制することができる。
【００８９】
また、本実施の形態における照明器具１及び照明ユニット３において、吊下部材３００は、一対のワイヤであり、スライド本体４２０には、照明部材１００を囲むように湾曲する長尺状の金属板材であるワイヤ接続体４４０が設けられている。そして、吊下部材３００の一対のワイヤの一方は、ワイヤ接続体４４０の長手方向の一方の端部に取り付けられ、吊下部材３００の一対のワイヤの他方は、ワイヤ接続体４４０の長手方向の他方の端部に取り付けられている。
【００９０】
これにより、一対の吊下部材３００（ワイヤ）によって、装飾部材２００を安定して吊り下げることができる。
【００９１】
また、本実施の形態における照明器具１及び照明ユニット３において、装飾部材２００は、天井４の開口孔４ａを囲む装飾パネル２１０と、装飾パネル２１０に着脱自在に取り付けられ、天井４の開口孔４ａを覆う透光カバー２２０とを有する。
【００９２】
これにより、装飾パネル２１０を別の種類の装飾パネル２１０に交換したり、透光カバー２２０を装飾カバー等として別のタイプの透光カバー２２０に交換したりすることによって、照明器具１のデザインを容易に変更することができる。
【００９３】
また、本実施の形態における照明器具１及び照明ユニット３において、照明部材１００は、Ｔ形のグローブを有するランプである。
【００９４】
これにより、照明部材１００をソケット２ｃに横向きの姿勢で取り付ける場合であっても、照明部材１００を用意にソケット２ｃに取り付けることができる。
【００９５】
（変形例）
以下、上記実施の形態に係る照明器具１及び照明ユニット３の変形例について、図面を用いて説明する。なお、以下の変形例で用いる図面についても、説明の都合上、器具本体２及び天井４の一部を切り欠いて図示している。
【００９６】
（変形例１）
図１１は、変形例１に係る照明器具１Ａ及び照明ユニット３Ａの全体構成を示す斜視図である。
【００９７】
本変形例に係る照明器具１Ａ及び照明ユニット３Ａは、上記実施の形態に係る照明器具１及び照明ユニット３と回動部材の構造が異なる。
【００９８】
本変形例における回動部材４００Ａは、上記実施の形態における回動部材４００と同様に、照明部材１００を回動自在で保持する保持体４１０Ａと、位置調整機構として保持体４１０Ａに対してスライド移動するスライド本体４２０Ａとを有するが、本変形例における保持体４１０Ａ及びスライド本体４２０Ａは、上記実施の形態における保持体４１０及びスライド本体４２０と構造が異なる。
【００９９】
具体的には、上記実施の形態における保持体４１０は、金属ワイヤからなるワイヤフレームであったが、本変形例における保持体４１０Ａは、樹脂材料によって構成された樹脂フレームである。保持体４１０Ａの樹脂材料としては、例えばポリブチレンテレフタレートを用いることができる。さらに、保持体４１０Ａのスライド本体４２０Ａとの連結部分には、照明部材１００の光軸に沿って波打つ複数の波型凹凸部が形成されている。なお、本変形例における保持体４１０Ａも、照明部材１００の光軸を回転軸として照明部材１００が回転自在となるように照明部材１００を保持している。
【０１００】
また、上記実施の形態におけるスライド本体４２０は、金属ワイヤからなるワイヤフレームに摺動するようにスライド移動していたが、本変形例におけるスライド本体４２０Ａは、保持体４１０Ａに形成された波型凹凸部に従って照明部材１００の光軸に沿って段階的にスライド移動する。つまり、スライド本体４２０Ａは、多段階でスライド移動する。
【０１０１】
また、本変形例における回動部材４００Ａは、照明部材１００の脱落を防止するストッパ４６０Ａとしてリング状のキャップ部材を有する。キャップ部材であるストッパ４６０Ａは、保持体４１０Ａにおける照明部材１００のグローブ１３０の開口端部に取り付けられている。ストッパ４６０Ａをリング状にすることで、照明部材１００の光束の低下を抑制できる。
【０１０２】
以上、本変形例における照明器具１Ａ及び照明ユニット３Ａによれば、上記実施の形態に係る照明器具１及び照明ユニット３と同様の作用及び効果を奏する。具体的には、幅広い機種の照明器具に対してデザインを容易に変更できる等の効果を奏する。
【０１０３】
（変形例２）
図１２は、変形例２に係る照明器具１Ｂ及び照明ユニット３Ｂの全体構成を示す斜視図である。
【０１０４】
本変形例に係る照明器具１Ｂ及び照明ユニット３Ｂは、上記実施の形態に係る照明器具１及び照明ユニット３と回動部材の構造が異なる。
【０１０５】
本変形例における回動部材４００Ｂは、上記実施の形態における回動部材４００と同様に、照明部材１００を回動自在で保持する保持体４１０Ｂと、位置調整機構として保持体４１０Ｂに対してスライド移動するスライド本体４２０Ｂとを有するが、本変形例における保持体４１０Ｂ及びスライド本体４２０Ｂは、上記実施の形態における保持体４１０及びスライド本体４２０と構造が異なる。
【０１０６】
具体的には、上記実施の形態における保持体４１０は、金属ワイヤからなるワイヤフレームであったが、本変形例における保持体４１０Ｂは、変形例１と同様に、樹脂材料によって構成された樹脂フレームである。
【０１０７】
また、本変形例におけるスライド本体４２０Ｂは、金属棒等の棒状部材である。棒状部材であるスライド本体４２０Ｂは、例えばボールネジの原理で照明部材１００の光軸に沿ってスライド移動する。例えば、スライド本体４２０Ｂの先端に設けられたつまみを回すことによって、スライド本体４２０Ｂと吊下部材３００との連結部分をスライド移動させることができる。
【０１０８】
以上、本変形例における照明器具１Ｂ及び照明ユニット３Ｂでも、上記実施の形態に係る照明器具１及び照明ユニット３と同様の作用及び効果を奏する。具体的には、幅広い機種の照明器具に対してデザインを容易に変更できる等の効果を奏する。
【０１０９】
（変形例３）
図１３は、変形例３に係る照明器具１Ｃ及び照明ユニット３Ｃの全体構成を示す斜視図である。
【０１１０】
本変形例に係る照明器具１Ｃ及び照明ユニット３Ｃは、上記実施の形態に係る照明器具１及び照明ユニット３と回動部材の構造が異なる。
【０１１１】
本変形例における回動部材４００Ｃは、上記実施の形態における回動部材４００と同様に、照明部材１００を回動自在で保持する保持体４１０Ｃを有するが、回動部材４００Ｃは、位置調整機構として、引っ掛け部４２０Ｃを有する。
【０１１２】
本変形例において、吊下部材３００は、回動部材４００Ｃとの連結部分にフック３１０Ｃを有しており、引っ掛け部４２０Ｃは、照明部材１００の光軸方向に沿ってフック３１０Ｃを引っ掛けることができるように構成されている。具体的には、引っ掛け部４２０Ｃは、照明部材１００の光軸方向に沿って延在する棒状部材であり、例えば金属棒である。
【０１１３】
これにより、吊下部材３００に取り付けられたフック３１０Ｃを引っ掛け部４２０Ｃの任意の位置に引っ掛けることで、照明部材１００から吊り下げられる装飾部材２００の水平方向の位置を微調整して、装飾部材２００の水平方向の位置ずれをなくすことができる。つまり、本変形例では、引っ掛け部４２０Ｃだけではなく、フック３１０Ｃも位置調整機構として機能している。
【０１１４】
なお、本変形例における保持体４１０Ｃは、変形例１、２と同様に、樹脂材料によって構成された樹脂フレームである。
【０１１５】
以上、本変形例における照明器具１Ｃ及び照明ユニット３Ｃによれば、上記実施の形態に係る照明器具１及び照明ユニット３と同様の作用及び効果を奏する。具体的には、幅広い機種の照明器具に対してデザインを容易に変更できる等の効果を奏する。
【０１１６】
なお、本変形例において、ストッパ４６０Ｃは、変形例１におけるストッパ４６０Ａと同様に、キャップ部材として回動部材４００のグローブ１３０側に設けたが、これに限らない。例えば、図１４に示されるように、回動部材４００の口金１１０側にストッパ４６０Ｄを設けてもよい。ストッパ４６０Ｄは、回動部材４００に対して照明部材１００が口金１１０側に移動することを規制する固定リング部材である。ストッパ４６０Ｄは、例えば樹脂製であり、照明部材１００の筐体１２０に接着剤等で固定されている。
【０１１７】
また、図１３に示すように、本変形例において、吊下部材３００のフック３１０Ｃは、棒状部材の引っ掛け部４２０Ｃの任意の位置に引っ掛けられる構成としたが、これに限らない。例えば、図１５に示されるように、フック３１０Ｃを引っ掛ける位置を、引っ掛け部４２０Ｃに予め設定された所定の複数個所としてもよい。具体的には、図１５に示される保持体４１０Ｅに複数の凸部が形成されている。この複数の凸部は、照明部材１００の光軸方向に沿って並ぶように形成され、かつ、引っ掛け部４２０Ｃに接触するように引っ掛け部４２０Ｃに向かって突出している。これにより、引っ掛け部４２０Ｃにおけるフック３１０Ｃの引っ掛け箇所を複数に区分することができる。
【０１１８】
（変形例４）
図１６は、変形例４に係る照明器具１Ｆ及び照明ユニット３Ｆの全体構成を示す斜視図である。
【０１１９】
本変形例に係る照明器具１Ｆ及び照明ユニット３Ｆは、上記実施の形態に係る照明器具１及び照明ユニット３と回動部材の構造が異なる。
【０１２０】
本変形例における回動部材４００Ｆは、上記実施の形態における回動部材４００と同様に、照明部材１００を回動自在で保持する保持体４１０Ｆを有するが、回動部材４００Ｆは、位置調整機構として、引っ掛け部４２０Ｆを有する。
【０１２１】
本変形例において、吊下部材３００は、回動部材４００Ｆとの連結部分にフック３１０Ｆを有しており、引っ掛け部４２０Ｆは、照明部材１００の光軸方向に沿ってフック３１０Ｆを複数箇所に引っ掛けることができるように構成されている。具体的には、引っ掛け部４２０Ｆは、照明部材１００の光軸方向に沿って並んで回動部材４００の保持体４１０Ｆに設けられた複数の突起である。
【０１２２】
これにより、吊下部材３００に取り付けられたフック３１０Ｆを引っ掛け部４２０Ｆの任意の突起に引っ掛けることで、照明部材１００から吊り下げられる装飾部材２００の水平方向の位置を調整して、装飾部材２００の水平方向の位置ずれをなくすことができる。つまり、本変形例でもフック３１０ＣＦは位置調整機構として機能している。
【０１２３】
なお、本変形例における保持体４１０Ｆは、変形例１〜３と同様に、樹脂材料によって構成された樹脂フレームである。また、保持体４１０Ｆには、ストッパ４６０Ｆとして照明部材１００のグローブ１３０の頂部に当接するバーが形成されている。
【０１２４】
以上、本変形例における照明器具１Ｆ及び照明ユニット３Ｆによれば、上記実施の形態に係る照明器具１及び照明ユニット３と同様の作用及び効果を奏する。具体的には、幅広い機種の照明器具に対してデザインを容易に変更できる等の効果を奏する。
【０１２５】
（その他の変形例）
以上、本発明に係る照明器具及び照明ユニットについて、実施の形態及び変形例に基づいて説明したが、本発明は、上記実施の形態及び変形例に限定されるものではない。
【０１２６】
例えば、上記実施の形態において、照明部材１００は、ＬＥＤランプとしたが、これに限らない。照明部材１００としては、既存の蛍光ランプ又は白熱電球等であってもよい。
【０１２７】
また、上記実施の形態及び変形例における照明ユニットは、ソケットが器具本体の頂部（底部）に設けられた場合にも適用できる。つまり、照明部材が縦向きの姿勢（グローブが直下を向いている姿勢）で挿入されるソケットを有する器具本体に対しても適用することができる。
【０１２８】
その他に、上記各実施の形態及び変形例に対して当業者が思い付く各種変形を施して得られる形態や、本発明の趣旨を逸脱しない範囲で実施の形態及び変形例における構成要素及び機能を任意に組み合わせることで実現される形態も本発明に含まれる。
【符号の説明】
【０１２９】
１、１Ａ、１Ｂ、１Ｃ、１Ｆ  照明器具
２  器具本体
２ｃ  ソケット
３、３Ａ、３Ｂ、３Ｃ、３Ｆ  照明ユニット
４  天井
４ａ  開口孔
１００  照明部材
１１０  口金
１３０  グローブ
２００  装飾部材
２１０  装飾パネル
２２０  透光カバー
２３０  収納ケース
３００  吊下部材
３１０Ｃ、３１０Ｆ  フック
４００、４００Ａ、４００Ｂ、４００Ｃ、４００Ｆ  回動部材
４１０、４１０Ａ、４１０Ｂ、４１０Ｃ、４１０Ｅ、４１０Ｆ  保持体
４１１  第１保持部
４１２  第２保持部
４１３  レール部
４２０、４２０Ａ、４２０Ｂ  スライド本体（位置調整機構）
４２０Ｃ、４２０Ｆ  引っ掛け部（位置調整機構）
４２１  第１スライド体
４２２  第２スライド体
４４０  ワイヤ接続体
【図１】
2018081859.tif 000003
【図２】
2018081859.tif 000004
【図３】
2018081859.tif 000005
【図４】
2018081859.tif 000006
【図５】
2018081859.tif 000007
【図６】
2018081859.tif 000008
【図７】
2018081859.tif 000009
【図８】
2018081859.tif 000010
【図９】
2018081859.tif 000011
【図１０Ａ】
2018081859.tif 000012
【図１０Ｂ】
2018081859.tif 000013
【図１０Ｃ】
2018081859.tif 000014
【図１０Ｄ】
2018081859.tif 000015
【図１１】
2018081859.tif 000016
【図１２】
2018081859.tif 000017
【図１３】
2018081859.tif 000018
【図１４】
2018081859.tif 000019
【図１５】
2018081859.tif 000020
【図１６】
2018081859.tif 000021